(57)【特許請求の範囲】
【請求項１】
後端側に設けられた揺動軸で回転することで先端側が起立するように回転する第１及び第２の空力ブレーキ板を、当該起立回転方向が走行風に対して一方が助勢方向、他方が抗勢方向となるように車両幅方向に並べて配置するとともに、双方の空力ブレーキ板が連動して起立回転するように前記揺動軸を連係する連係手段を備えた鉄道車両用空力ブレーキ装置。
【請求項２】
前記連係手段は、前記第１及び第２の空力ブレーキ板それぞれの揺動軸の隣接する軸端部に設けられた回転機構を有し、双方の揺動軸の回転モーメントをバランスさせるよう構成されてなる、
請求項１に記載の鉄道車両用空力ブレーキ装置。
【請求項３】
前記第１及び第２の空力ブレーキ板は、格納時の平面視外形寸法が小さくなる方向に互いの揺動軸が車両前後方向にオフセットして配置されてなる、
請求項１又は２に記載の鉄道車両用空力ブレーキ装置。
【請求項４】
前記第１及び第２の空力ブレーキ板の所定位置を超える起立回転方向への回転を制限し、当該所定位置に起立させる回転制限手段、
を更に備えた請求項１〜３の何れか一項に記載の鉄道車両用空力ブレーキ装置。
【請求項５】
前記走行風による起立トルクが、自重により前記空力ブレーキ板が格納姿勢に復元しようとする復元トルクを上回る姿勢まで、前記第１及び第２の空力ブレーキ板を部分起立させるよう付勢する付勢手段、
を更に備えた請求項１〜４の何れか一項に記載の鉄道車両用空力ブレーキ装置。
【請求項６】
請求項３に記載の鉄道車両用空力ブレーキ装置が車両幅方向に並んで配置されているとともに、当該鉄道車両用空力ブレーキ装置の作動による当該車両のヨーイングを抑制するために、前記第１及び第２の空力ブレーキ板の車両幅方向の並びが異なる鉄道車両用空力ブレーキ装置が混在配置されていることを特徴とする鉄道車両。
【発明の詳細な説明】
【技術分野】
【０００１】
本発明は、鉄道車両用の空力ブレーキ装置等に関する。
【背景技術】
【０００２】
高速移動する車両のブレーキとして空気抵抗を増加させて減速させる空力ブレーキ装置が研究されている。例えば、高速鉄道への搭載が想定された空力ブレーキ装置では、ブレーキ板を車両の屋根から起立させるヒンジ方式の空力ブレーキ装置（例えば、特許文献１参照）や、走行風と直交する方向へブレーキ板を直線的に突出させるポップアップ方式の空力ブレーキ装置（例えば、特許文献２参照）、回転機構を用いて走行風と直交する方向へブレーキ板を突出させるロータリ方式の空力ブレーキ装置（例えば、特許文献３参照）が知られるところである。
【先行技術文献】
【特許文献】
【０００３】
【特許文献１】特開平７−２７７１５８号公報
【特許文献２】特開２００３−２１９４号公報
【特許文献３】特開２００５−４１３２５号公報
【発明の概要】
【発明が解決しようとする課題】
【０００４】
ヒンジ方式では、装置を薄型化できるため航空機などでは特にメリットが高い。しかし、鉄道のように進行方向が正逆反転する移動体では、同じブレーキ板でも、空気抵抗がブレーキ板の起立を助け促すように作用する助勢方向に揺動端が向く場合と、空気抵抗によってブレーキ板の起立が抑制されむしろ押し戻すように作用する抗勢方向に揺動端が向く場合とが生じる。前者の場合、空力ブレーキ板が風をはらむようにして起立するため比較的容易に空力ブレーキ板が立ち上がるが、走行速度が高い場合は空力ブレーキ板が衝撃的に立ち上がり周辺部材へ悪影響を及ぼすため緩衝機構が別途必要になる。後者の場合には空力ブレーキ板が風圧に逆らって起立するため、走行速度が高い場合は大出力のアクチュエータが必要になる。大出力のアクチュエータおよび駆動するための補機は寸法が大きく収容空間やコスト、取扱い性に課題があった。
【０００５】
ポップアップ方式やロータリ方式は、ブレーキ板の駆動機構に作用する風圧の影響がヒンジ方式よりも低減されるので比較的出力が小さいアクチュエータで構成できるメリットがある。しかし、空力ブレーキ板が上下方向へ移動するため収容したときの装置の高さ寸法がヒンジ方式よりも数倍程度大きくなり、その結果空力ブレーキ装置を客室部には設置できず例えば機器室などを別途設ける必要がある。また、ブレーキ板を案内し且つ制動中に風圧に耐えて保持するために強固なスライド支持機構を設けなければならない。すなわち、ブレーキ板を収容するための収容空間とブレーキ板の支持機構が客室空間を圧迫する課題があった。
【０００６】
本発明は、こうした課題に鑑みてなされたものであり、駆動機構部の小型化と収容空間の低減を両立した空力ブレーキ装置を実現することである。
【課題を解決するための手段】
【０００７】
以上の課題を解決するための第１の形態は、後端側に設けられた揺動軸で回転することで先端側が起立するように回転する第１及び第２の空力ブレーキ板を、当該起立回転方向が走行風に対して一方が助勢方向、他方が抗勢方向となるように車両幅方向に並べて配置するとともに、双方の空力ブレーキ板が連動して起立回転するように前記揺動軸を連係する連係手段（例えば、図３の第１バランスギア１９、第２バランスギア３９）を備えた鉄道車両用空力ブレーキ装置である。
【０００８】
第１の形態によれば、ブレーキ作動当初は、第１の空力ブレーキ板では助勢方向に揺動先端が起こされ、同時に、第２の空力ブレーキ板では抗勢方向に揺動先端が起こされることになる。前者では走行風をはらむ格好となるので、はらんだ風による空気抵抗はブレーキ板の起立を助ける助勢トルクを生むことになる。後者では走行風を受け流す格好となるのでブレーキ板の起立を抑制する抗勢トルクとして作用するが、その大きさは第１の空力ブレーキ板の助勢トルクよりも小さくなる。そして、第１及び第２の空力ブレーキ板の揺動軸は、双方が連動して起立回転するように連係されている。従って、第１及び第２の空気ブレーキ板を少し起こした部分起立状態とするだけで、第１の空力ブレーキ板に生じる助勢トルクから第２の空力ブレーキ板の抗勢トルクを差し引いても、助勢トルクが優勢となり、両空気ブレーキ板は自然と全起立状態に向かって揺動を続けることとなる。この関係は、車両の進行方向が逆転したとしても変わらない。なお、走行速度が高い場合に第１の空力ブレーキ板に生じる過大な助勢トルクは第２の空力ブレーキ板の抗勢トルクにより減じられ、走行速度が高い場合であっても空力ブレーキ板が衝撃的に立ち上がることはない。
よって、ポップアップ方式やロータリ方式のようなスライド支持機構も不要で、且つ従来のヒンジ式の空力ブレーキ装置のように大出力のアクチュエータや緩衝装置を必要としない、駆動機構の小さな空力ブレーキ装置を実現できる。駆動機構が小さい分、収容空間が小さくなり、鉄道車両に搭載しても従来の空力ブレーキ装置よりも客室を圧迫しないで済む。
【０００９】
第２の形態は、前記連係手段が、前記第１及び第２の空力ブレーキ板それぞれの揺動軸の隣接する軸端部に設けられた回転機構を有し、双方の揺動軸の回転モーメントをバランスさせるよう構成されてなる、第１の形態の鉄道車両用空力ブレーキ装置である。
【００１０】
第２の形態によれば、第１の形態と同様の効果が得られるとともに、２つの揺動軸を回転機構で連係することができる。例えば、歯車やチェーン機構などを利用可能である。連係機構として高い信頼性を確保しつつ、それでいて構造を簡素化・小型化することができる。
【００１１】
第３の形態は、前記第１及び第２の空力ブレーキ板が、格納時の平面視外形寸法が小さくなる方向に互いの揺動軸が車両前後方向にオフセットして配置されてなる、第１又は第２の形態の鉄道車両用空力ブレーキ装置である。
【００１２】
第３の形態によれば、第１又は第２の形態の何れかと同様の効果が得られるとともに、空力ブレーキ装置全体のサイズを小さくできるので、更に搭載性に優れる。
【００１３】
第４の形態は、前記第１及び第２の空力ブレーキ板の所定位置を超える起立回転方向への回転を制限し、当該所定位置に起立させる回転制限手段（例えば、図３のストッパー９）、を更に備えた第１〜第３の何れかの形態の鉄道車両用空力ブレーキ装置である。
【００１４】
第４の形態によれば、第１〜第３の形態の何れかと同様の効果が得られるとともに、アクチュエータを利用しなくとも空力ブレーキ板の回転を所定位置までに制限できるので、空力ブレーキ装置の駆動機構部を小さくできる。
【００１５】
第５の形態は、前記走行風による起立トルクが、自重により前記空力ブレーキ板が格納姿勢に復元しようとする復元トルクを上回る姿勢まで、前記第１及び第２の空力ブレーキ板を部分起立させるよう付勢する付勢手段（例えば、図３の第１捻りコイルバネ２０、第２捻りコイルバネ４０）、を更に備えた第１〜第４の何れかの形態の鉄道車両用空力ブレーキ装置である。
【００１６】
第５の形態によれば、第１〜第４の形態の何れかと同様の効果が得られるとともに、アクチュエータを用いずとも、ブレーキ板が走行風を受けて自然に起立するようになる部分起立状態とすることができる。
【００１７】
第６の形態は、第３の形態の鉄道車両用空力ブレーキ装置が車両幅方向に並んで配置されているとともに、当該鉄道車両用空力ブレーキ装置の作動による当該車両のヨーイングを抑制するために、前記第１及び第２の空力ブレーキ板の車両幅方向の並びが異なる鉄道車両用空力ブレーキ装置が混在配置されていることを特徴とする鉄道車両である。
【００１８】
第６の形態によれば、仮に第３の形態の鉄道車両用空力ブレーキ装置がブレーキ作動時にヨーイングを発生するとしても、ヨーイングの影響が車両に及ぶのを抑制できる。
【図面の簡単な説明】
【００１９】
【図１】空力ブレーキ装置と、当該装置を搭載した鉄道車両の例を示す斜視外観図であって、空力ブレーキ未作動状態を示す図。
【図２】空力ブレーキ装置と、当該装置を搭載した鉄道車両の例を示す斜視外観図であって、空力ブレーキ装置が作動状態を示す図。
【図３】空力ブレーキ装置の構成例を示す上面図。
【図４】空力ブレーキ装置の構成例を示すＡ−Ａ断面（図３）における縦断面図。
【図５】空力ブレーキ装置の構成例を示すＢ−Ｂ断面（図３）における縦断面図。
【図６】空力ブレーキ装置の構成例を示すＣ−Ｃ断面（図３）における縦断面図。
【図７】空力ブレーキ装置が作動を説明するための略図であって、ブレーキ板が部分起立した状態図。
【図８】空力ブレーキ装置が作動を説明するための略図であって、ブレーキ板が全起立した状態図。
【図９】開動作の実験結果を示す図。
【図１０】起立角度と抗力に関する実験結果を示す図。
【図１１】起立角度と起立トルクに関する実験結果を示す図。
【発明を実施するための形態】
【００２０】
図１は、本発明を適用した空力ブレーキ装置と、当該装置を搭載した鉄道車両の例を示す斜視外観図であって、空力ブレーキの未作動状態を示す図である。図２は、同空力ブレーキ装置の作動状態を示す図である。
【００２１】
本実施形態の空力ブレーキ装置２は、第１空力ブレーキ板１０と第２空力ブレーキ板３０とを連動させて起立させ、走行風Ｗ１，Ｗ２に当てて空気抵抗を増大させて制動力を得るブレーキ装置である。
本実施形態の鉄道車両１００では、屋根部に凹設された上面視矩形の収容空間１０２に空力ブレーキ装置２を設置する。その際、左右２機の空力ブレーキ装置２を、第１空力ブレーキ板１０或いは第２空力ブレーキ板３０が隣り合うように車両幅方向に並べて配置する。図１と図２の例で言うと、左右２機の空力ブレーキ装置２Ｒ，２Ｌは、それぞれの第２空力ブレーキ板３０が隣り合う（中央寄りになる）ように並べて配置されている。そして、左右２機を１セットとして、車両長手方向に所定間隔置きに複数セット設置する。換言すると、車両長手方向に２列に空力ブレーキ装置２を設置する。尚、空力ブレーキ装置２が未作動の状態では、空力ブレーキ装置２の上面は、鉄道車両１００の車体上面とフラットとなる。左右１セット当りの空力ブレーキ装置２の数（列数に相当）や相対位置関係、鉄道車両１００の屋根部における配置セット数などは適宜変更可能である。
【００２２】
［構造の説明］
図３は、空力ブレーキ装置２の構成例を示す上面図である。図４〜図６は、それぞれ図３におけるＡ−Ａ断面、Ｂ−Ｂ断面、Ｃ−Ｃ断面における縦断面図である。尚、図４〜図６では理解を容易にするために一部構成要素を図示省略している。
【００２３】
図３に示すように、空力ブレーキ装置２は、上面視矩形を成しており、短辺方向が鉄道車両１００の進行方向に合わせて収容空間１０２内に設置される。ここでは、長辺方向（図３の上下方向）を「左右方向」と呼称して説明する。
【００２４】
第１空力ブレーキ板１０は、左右方向に横長な矩形型の板であって、後端側に設けられた揺動軸で回転することで先端側（揺動先端）が起立するように回転する。より具体的には、図４及び図５に示すように、第１空力ブレーキ板１０では、後方側の長辺に寄せてブレーキ板本体１１から延設された軸支持腕１２により、長辺と平行な第１揺動軸１４が固定されている。そして、第１揺動軸１４は、空力ブレーキ装置２の左右と平行に、すなわち空力ブレーキ装置２を設置した時に車両進行方向に対して直交するように、収容空間１０２の底にベアリングユニット８により回転自在に支持されている。
【００２５】
そして、第１揺動軸１４の第２空力ブレーキ板３０に近い一端には、第１バランスギア１９が固定されており、この第１バランスギア１９と最寄りのベアリングユニット８との間には、第１揺動軸１４に第１空力ブレーキ板１０を開ける方向（起立させる方向）へ回転させる付勢力を与える第１捻りコイルバネ２０が設定されている。具体的には、第１捻りコイルバネ２０は、コイル部を第１揺動軸１４に通し、腕の一方を第１バランスギア１９の側面に突設されたバネ腕係止ピン２２に掛け、他方の腕を、収容空間１０２の底面に突設されたバネ腕固定台２４に固定されている。第１捻りコイルバネ２０は、第１揺動軸１４に対して第１空力ブレーキ板１０を部分起立させるのに十分なバネトルクを発するように各種諸元が設定されている（詳細後述）。
【００２６】
一方、第２空力ブレーキ板３０は、図３、図４及び図６に示すように、基本的には第１空力ブレーキ板１０と同様の構成を有し、空力ブレーキ装置２に対しては第１空力ブレーキ板１０と前後反対向きに設けられる。すなわち、第２空力ブレーキ板３０も、左右方向に横長な矩形型の板であって、第２空力ブレーキ板３０の後端側（空力ブレーキ装置２全体としてみれば前端側）に設けられた揺動軸で回転することで先端側（空力ブレーキ装置２全体としてみれば後端側）が起立するように回転する。
【００２７】
具体的には、第２空力ブレーキ板３０では、長辺の一方側（空力ブレーキ装置２としての前方側）に寄せてブレーキ板本体３１から延設された軸支持腕３２により、長辺と平行な第２揺動軸３４が固定されている。そして、第２揺動軸３４は、空力ブレーキ装置２の左右と平行に、且つ、第１揺動軸１４よりも前方側位置にて、収容空間１０２の底にベアリングユニット８により回転自在に支持されている。この時、第２揺動軸３４は、第１揺動軸１４よりも空力ブレーキ装置２の前方側にオフセットした位置に設けられる。これにより、第１空力ブレーキ板１０及び第２空力ブレーキ板３０は、互いの揺動軸が車両前後方向にオフセットして配置されることとなり、ブレーキ板格納時の空力ブレーキ装置２の平面視外形寸法ができるだけ小さくなる方向に設定されている。
【００２８】
そして、第２揺動軸３４の第１空力ブレーキ板１０に近い一端には、第２バランスギア３９が固定されている。そして、第１バランスギア１９と第２バランスギア３９は、同じ諸元の歯車で、空力ブレーキ装置２の左右中央付近の位置でギア比１：１で噛み合っている。すなわち、第１揺動軸１４と第２揺動軸３４は、第１ブレーキ板１０及び第２空力ブレーキ板３０の双方の空力ブレーキ板が連動して起立回転するように揺動軸を連係する連係手段として機能する。
【００２９】
第２バランスギア３９と最寄りのベアリングユニット８との間には、第２揺動軸３４に第２空力ブレーキ板３０を開ける方向へ回転させるバネトルクを与える第２捻りコイルバネ４０が設定されている。具体的には、第２捻りコイルバネ４０は、コイル部を第２揺動軸３４に通し、腕の一方を第２バランスギア３９の側面に突設されたバネ腕係止ピン４４に掛け、他方の腕を、収容空間１０２の底面に突設されたバネ腕固定台２４に固定されている。第２捻りコイルバネ４０は、第２空力ブレーキ板３０を部分起立させるバネトルクを発するように設定されている（詳細後述）。
【００３０】
そして、図３に示すように、第１バランスギア１９には、減速ギア群６０の出力側が連結されている。減速ギア群６０の入力側には、電磁クラッチ５０を介して電動機７０の出力軸が連結されている。
【００３１】
電磁クラッチ５０は、平時は通電状態が維持されて、クラッチが接続された状態が維持される。そして、空力ブレーキ装置２を作動させる時には通電が遮断されクラッチが切れる。
【００３２】
減速ギア群６０は、高いギア比を有する。従って、電動機７０の出力軸の回転を減速して第２揺動軸３４を回転させることができるが、逆に第２揺動軸３４側からの回転で電動機７０の出力軸を回すことはできないセルフロック効果を発揮する。
【００３３】
尚、空力ブレーキ装置２の上面で、第１空力ブレーキ板１０及び第２空力ブレーキ板３０以外の部分は主外装４により覆われている。また、第１空力ブレーキ板１０及び第１空力ブレーキ板３０を閉じた状態において主外装４との間に生じる間隙には、ゴムシートなどの補助外装板１８が適宜設けられる。つまり、平時（非作動状態）の空力ブレーキ装置２が鉄道車両１００の屋根とフラットな面を形成するように考慮されている。
【００３４】
［動作の説明］
次に、第１捻りコイルバネ２０及び第２捻りコイルバネ４０のバネトルクの設定と、空力ブレーキ装置２の動作について説明する。
【００３５】
図７及び図８は、空力ブレーキ装置２の動作を説明するための略図であって、図７はブレーキ板が部分起立した状態の図、図８はそれより後の状態でブレーキ板が全起立した状態の図に相当する。尚、空力ブレーキ装置２を装着した鉄道車両１００は、図７，８の左方向に向かって走行中であるとする。すなわち、走行風は図７，８の左から右へ流れるものとする。
【００３６】
空力ブレーキ装置２を作動させる時、電磁クラッチ５０への通電を遮断する。
すると、第１空力ブレーキ板１０は、第１捻りコイルバネ２０のバネ力によるバネトルクで第１揺動軸１４で先端（走行風上流側）が上がるように揺動し、第２空力ブレーキ板３０は、第２捻りコイルバネ４０のバネ力によるバネトルクで第２揺動軸３４で先端（走行風下流側）が上がるように揺動する。第１揺動軸１４と第２揺動軸３４は、第１バランスギア１９と第２バランスギア３９とで噛み合っているので、両揺動軸の揺動方向は相互にブレーキ板を起立させる方向で合致するため互いに障害となることはない。
【００３７】
第１空力ブレーキ板１０と第２空力ブレーキ板３０とが部分起立すると、図７に示すような状態となる。尚、図中の第１空力ブレーキ板１０と第２空力ブレーキ板３０の傾斜角度（起立角度）は一例であり、当該角度に限定されるものではない。
【００３８】
第１空力ブレーキ板１０は、走行風Ｗ１（図７中、破線矢印）をはらむ。よって、第１空力ブレーキ板１０には、空気抵抗により当該ブレーキ板をより起立させるように助勢する助勢トルクＴ１が作用するようになる。また、第１空力ブレーキ板１０には自重によりブレーキ板を元の格納姿勢に戻そうとする復元トルクＴ３が作用する。
【００３９】
一方、第２空力ブレーキ板３０は、走行風Ｗ２を受け流す格好になる。よって、第２空力ブレーキ板３０には、空気抵抗により当該ブレーキ板を起立させないように抗勢する抗勢トルクＴ２が作用する。また、第２空力ブレーキ板３０にも自重による復元トルクＴ３が作用する。
【００４０】
本実施形態では、第１捻りコイルバネ２０と第２捻りコイルバネ４０との合成バネトルクにより、助勢トルクＴ１が、抗勢トルクＴ２とブレーキ板２枚分の復元トルクＴ３の合成トルクに打ち勝つ大きさとなるまで第１空力ブレーキ板１０を部分起立できる。
逆説的に述べるならば、第１捻りコイルバネ２０と第２捻りコイルバネ４０の諸元は、空力ブレーキ装置２の搭載が想定される車両の想定運行速度域において、助勢トルクＴ１が、抗勢トルクＴ２と２つの復元トルクＴ３の合成トルクに打ち勝つ大きさとなるまで第１空力ブレーキ板１０を部分起立させることができるように設定されている。
【００４１】
具体的な第１捻りコイルバネ２０と第２捻りコイルバネ４０の諸元は、幾つかの試験を行って決めるのが好ましい。
例えば図９は、捻りコイルバネ２０及び捻りコイルバネ４０の諸元設定のための実験結果の一例を示す図である。横軸が、空力ブレーキ装置２の設置が想定されている鉄道車両１００の車両速度であり、縦軸が第１捻りコイルバネ２０と第２捻りコイルバネ４０とを合わせた合成バネトルクである。速度及び合成トルクを変化させて実験を行った結果、第１空力ブレーキ板１０及び第２空力ブレーキ板３０が全起立できた設定すなわちブレーキ板が開運動できた設定を○印、開運動できなかった設定を×印でプロットしている。
【００４２】
実験の結果、破線で示す辺りに、ブレーキ板が開運動できる設定とできない設定との境界があると考えられる。そこで、例えば、第１捻りコイルバネ２０のバネトルクと第２捻りコイルバネ４０のバネトルクとの合成トルクが２．０［Ｎ・ｍ］以上となるように設定すると、想定運行速度域全域において確実に空力ブレーキ装置２を作動させることができる。
【００４３】
また、別の実験において図１０及び図１１に示すような結果が得られた。
図１０は、横軸をブレーキ板の起立角度、縦軸をブレーキ板に作用する空気抵抗による抗力として、第１空力ブレーキ板１０の抗力Ｄ１と、第２空力ブレーキ板３０の抗力Ｄ２と、それらの合成した全抵抗Ｄ３を示している。この全抵抗Ｄ３が制動力として作用し得る力となる。
【００４４】
また、図１１は、横軸が起立角度であり、縦軸が第１揺動軸１４にて作用する回転方向のトルクの測定値であって第１空力ブレーキ板１０を助勢する方向がプラスで示されている。第１空力ブレーキ板１０は、走行風をはらむが、第２空力ブレーキ板３０では走行風を受け流す。よって、図１０に示すように、抗力Ｄ１が抗力Ｄ２より大きくなっている。この抗力Ｄ１により生じる助勢トルクＴ１と、抗力Ｄ２により生じる抗勢トルクＴ２及び復元トルクＴ３の合成結果が、図１１に示す縦軸の起立トルクであり、起立角度が「０」でなければ、常に助勢トルクＴ１が優勢に作用している結果となっている。
【００４５】
つまり、第１コイルバネ２０及び第２コイルバネ４０により、第１空力ブレーキ板１０及び第２空力ブレーキ板３０が部分起立さえすれば、従来のヒンジ式の空力ブレーキ装置のように、ブレーキ板を起立させるためのアクチュエータを備えなくとも、あとは空気抵抗により自然と起立が促進され、ついには図８に示す全起立状態に達する。なお、実験では、この部分起立に必要なブレーキ板の傾斜角度（起立角度）は数度（２〜５度）程度であった。
【００４６】
全起立状態に達すると第１空力ブレーキ板１０及び第２空力ブレーキ板３０は、それぞれストッパー９に当接して姿勢が維持される。
【００４７】
このとき、従来のヒンジ式の空力ブレーキ装置では第１空力ブレーキ板１０の抗力Ｄ１により生じる助勢トルクＴ１が走行速度が高い場合に過大となる結果、全起立状態に向かって加速度的に動作しストッパー９およびその周辺部材に衝撃力を与える問題があったが、第２空力ブレーキ板３０により生じる抗勢トルクＴ２によって過大な起立トルクが抑えられ（図１１）、走行速度が高い場合であっても空力ブレーキ板が衝撃的に立ち上がることはない。
【００４８】
本実施形態では、第１空力ブレーキ板１０と第２空力ブレーキ板３０とでは基本的に同じ構成であり、第１バランスギア１９と第２バランスギア３９も同じ仕様である。従って、車両進行方向が逆向きになった場合でも、上述した全起立に至るまでの第１空力ブレーキ板１０及び第２空力ブレーキ板３０に作用するトルクの関係が逆になるだけで、空力ブレーキとしての作用効果は同じである。
【００４９】
尚、空力ブレーキを緩解するには、電磁クラッチ５０を通電した後、ブレーキ板を元の倒れた姿勢（図１や図３の状態）に戻る方向へ第２揺動軸３４を回転させるよう、電動機７０を所定回数だけ回転させると良い。
【００５０】
このように、本実施形態の空力ブレーキ装置２では、助勢方向と抗勢方向とでブレーキ板に作用するモーメントの向きが反転することに着目して、２枚のブレーキ板の開閉方向を逆向きに構成し、両ブレーキ板の揺動軸を連係するように構成した。結果、助勢方向のモーメントが優勢となるように構成された。従って、従来のヒンジ方式の空力ブレーキ装置のように、ブレーキ板を起立させるための大型アクチュエータを設けなくとも、走行風を利用してブレーキ板を自動的に起立させることができる。
【００５１】
第１空力ブレーキ板１０の揺動先端の向きと、第２空力ブレーキ板３０の揺動先端の向きが、搭載される車両の進行方向の前後に逆向きとなるように構成されているので、折り返し運転等で進行方向が逆になっても同じような制動効果を発揮させることができる。
【００５２】
また、第１空力ブレーキ板１０と第２空力ブレーキ板３０とが、基本的に同じ構造を有し、第１バランスギア１９と第２バランスギア３９も同じ仕様の歯車である。つまり、複数のブレーキ板を有していても、部品の種類を少なくし、量産効果でより低コストを実現することができる。
【００５３】
また、空力ブレーキ装置２のブレーキ板は前後にオフセットして設けられている。従って、第１空力ブレーキ板１０によって働く制動力の作用点と、第２空力ブレーキ板３０によって働く制動力の作用点との位置関係がズレているため、空力ブレーキ装置２の垂直軸回りにモーメントが発生する可能性がある。しかし、鉄道車両１００に搭載する際、２機の空力ブレーキ装置２を、それぞれの第２空力ブレーキ板３０側を隣接させて車両幅方向に横並びに配置した（図１、図２参照）。換言すると、空力ブレーキ装置２の前後を反転させて横並びに配置した。この結果、左側の空力ブレーキ装置２Ｌの一対のブレーキ板のオフセット方向と、右側の空力ブレーキ装置２Ｒの一対のブレーキ板のオフセット方向とが逆になったため、互いの空力ブレーキ装置２Ｒ，２Ｌの垂直軸回りに発生し得るモーメントを相殺することができ、車両へのヨーイングの影響を抑制することができる。
【００５４】
尚、空力ブレーキ装置２を左右２列とするのではなく、１列とするのであれば、右側の空力ブレーキ装置２Ｒと左側の空力ブレーキ装置２Ｌとを交互に配置することで、上述したモーメントの相殺効果を発揮させることができる。
【００５５】
尚、本実施形態では、第１空力ブレーキ板１０と第２空力ブレーキ板３０とが、基本的に同じ構造を有しているように示したが、ブレーキ板の大きさや形状を違えることが制限されるものではない。その場合、第１空力ブレーキ板１０に作用する空気抵抗に起因するトルクと、第２空力ブレーキ板３０に作用する空気抵抗に起因するトルクとの合成結果が、常に助勢側のトルクが優勢となるように、連係手段（第１バランスギア１９と第２バランスギア３９との仕様）を適切に選択すると、上記実施形態と同じ効果を得ることができる。
【００５６】
また、連係手段は、ブレーキ板の起立に伴う第１揺動軸１４と第２揺動軸３４との揺動方向が揃うように連係できるのであれば、歯車の噛み合わせ以外の構成（例えば、チェーンや、タイミングベルトを用いた構成や、リンク機構など）であっても良い。
【００５７】
また、上記実施形態では、空力ブレーキ装置２を構成するブレーキ板の数を２枚としたが、３枚以上であっても良い。その場合、各ブレーキ板の大きさや形状、連係手段の仕様は、ブレーキ板の起立に伴う各揺動軸に作用するトルクの合成結果が、車両進行方向の反転に係わらず、常に助勢トルク優勢となるように構成すれば良い。
【００５８】
また、上記実施形態のブレーキ板は端面が直角の平板として示しているが、端部形状はこれに限定されるものではない。例えば、揺動先端部を先細り形状にしたり、揺動先端部に凹凸を設けたり、ブレーキ板に適宜スリットや孔を設け、揺動先端部で生じる乱流が後方へ与える影響を低減させたり、乱流によるブレーキ板の振動を抑制する効果を生じる構成としても良い。
【符号の説明】
【００５９】
２…空力ブレーキ装置
４…主外装
８…ベアリングユニット
９…ストッパー
１０…第１空力ブレーキ板
１１…ブレーキ板本体
１２…軸支持腕
１４…第１揺動軸
１８…補助外装板
１９…第１バランスギア
２０…第１捻りコイルバネ
２２…バネ腕係止ピン
２４…バネ腕固定台
３０…第２空力ブレーキ板
３１…ブレーキ板本体
３２…軸支持腕
３４…第２揺動軸
３６…スプリングヒンジ
３９…第２バランスギア
４０…第２捻りコイルバネ
４２…バネ腕係止ピン
４４…バネ腕固定台
５０…電磁クラッチ
６０…減速ギア群
７０…電動機
１００…鉄道車両
１０２…収容空間
Ｄ１…第１空力ブレーキ板に生じる抗力
Ｄ２…第２空力ブレーキ板に生じる抗力
Ｄ３…全抵抗、
Ｔ１…助勢トルク
Ｔ２…抗勢トルク
Ｔ３…復元トルク
Ｗ１，Ｗ２…走行風
【図１】
0005730803.tif 000002
【図２】
0005730803.tif 000003
【図３】
0005730803.tif 000004
【図４】
0005730803.tif 000005
【図５】
0005730803.tif 000006
【図６】
0005730803.tif 000007
【図７】
0005730803.tif 000008
【図８】
0005730803.tif 000009
【図９】
0005730803.tif 000010
【図１０】
0005730803.tif 000011
【図１１】
0005730803.tif 000012